(57)【要約】【課題】  携帯機に対する位置検知精度を向上した構内無線通信システムを提供する。【解決手段】  構内無線通信システムは、サービスエリア内にて分割された通信エリア毎に配置された無線基地局１０ａ、１０ｂ、…と、各通信エリア内にて無線基地局１０ａ、１０ｂ、…と無線接続する携帯機２０ａ、２０ｂ、…と、無線基地局１０ａ、１０ｂ、…同士を接続制御する主装置３０とを備えている。主装置３０は、携帯機２０ａ、２０ｂ、…の位置を特定する場合、無線基地局１０ａ、１０ｂ、…の電波の送出を順次停止しながら各無線基地局１０ａ、１０ｂ、…に接続されている携帯機２０ａ、２０ｂ、…を検索し、携帯機位置検索テーブルを作成する。位置表示端末装置は、上記携帯機位置検索テーブルに基づいて携帯機２０ａ、２０ｂ、…の位置を特定し、地図上に表示する。【選択図】      図２
2009206960.tif 000002
【特許請求の範囲】
【請求項１】
構内無線通信システムにおけるサービスエリア内にて分割された通信エリア毎に配置された複数の無線基地局と、前記各通信エリア内にて前記無線基地局の一つと無線接続する携帯機と、前記無線基地局同士を接続制御すると共に前記携帯機の位置を特定する機能を備えた主装置と、前記主装置により特定された前記携帯機の位置を表示する位置表示端末装置とを具備し、
前記主装置は、前記携帯機の位置を特定する場合、前記無線基地局の電波の送出を順次停止しながら当該各無線基地局に接続される携帯機を検索し、前記検索した携帯機が接続可能な無線基地局の重複する通信エリアから当該携帯機の位置を特定することを特徴とする構内無線通信システム。
【発明の詳細な説明】
【技術分野】
【０００１】
本発明は、構内無線通信システムに係り、特に携帯機の位置検知精度を向上した構内無線通信システムに関する。
【背景技術】
【０００２】
従来、広い敷地を有する工場等においては、コードレス電話システム（ＰＨＳ）等の構内無線通信システムが使用されている（例えば、特許文献１参照。）。上記構内無線通信システムは、サービスエリア内にて分割された通信エリア毎に配置された複数の無線基地局と、上記各通信エリア内にて無線基地局の一つと無線接続する携帯機と、上記無線基地局同士を接続制御する主装置により構成されている。
【０００３】
上記主装置は、各携帯機がどの無線基地局と接続しているかを認識し、その無線基地局の通信エリア内を携帯機が存在している場所として特定している。
【特許文献１】特開２００１−２５０５５号公報
【発明の開示】
【発明が解決しようとする課題】
【０００４】
上記のように従来の構内無線通信システムは、各携帯機がどの無線基地局と接続しているかを認識し、その無線基地局の通信エリア内を携帯機が存在している場所として特定しているので、携帯機に対する位置検知精度は無線基地局の電波が届く通信エリアの範囲となり、無線基地局の通信エリア内のどのあたりに携帯機が存在しているかまでは特定することができなかった。
【０００５】
本発明は上記の課題を解決するためになされたもので、携帯機に対する位置検知精度を向上し得る構内無線通信システムを提供することを目的とする。
【課題を解決するための手段】
【０００６】
本発明は、構内無線通信システムにおけるサービスエリア内にて分割された通信エリア毎に配置された複数の無線基地局と、前記各通信エリア内にて前記無線基地局の一つと無線接続する携帯機と、前記無線基地局同士を接続制御すると共に前記携帯機の位置を特定する機能を備えた主装置と、前記主装置により特定された前記携帯機の位置を表示する位置表示端末装置とを具備し、前記主装置は、前記携帯機の位置を特定する場合、前記無線基地局の電波の送出を順次停止しながら当該各無線基地局に接続される携帯機を検索し、前記検索した携帯機が接続可能な無線基地局の重複する通信エリアから当該携帯機の位置を特定することを特徴とする。
【発明の効果】
【０００７】
本発明によれば、各通信エリアに配置された無線基地局の電波の送出を順次停止しながら当該各無線基地局に接続される携帯機を検索することにより、検索した携帯機が接続可能な無線基地局の通信エリアから当該携帯機の位置を高精度で特定することができる。
【発明を実施するための最良の形態】
【０００８】
以下、図面を参照して本発明の一実施形態を説明する。図１は本発明一実施形態に係る例えばコードレス電話システム（ＰＨＳ）等の構内無線通信システムの構成を示すブロック図である。
【０００９】
図１に示す構内無線通信システムは、サービスエリア内にて分割された通信エリア毎に配置された無線基地局１０ａ、１０ｂ、…と、各通信エリア内にて無線基地局１０ａ、１０ｂ、…と無線接続する携帯機２０ａ、２０ｂ、…と、上記無線基地局１０ａ、１０ｂ、…同士を接続制御する主装置３０とを備えている。
【００１０】
上記無線基地局１０ａ、１０ｂ、…は、それぞれ制御部１１と、各種データ例えば無線基地局１０ａ、１０ｂ、…毎に識別された識別データ等を記憶するメモリ１２とを有している。無線基地局１０ａ、１０ｂ、…は、定期的に当該識別データを携帯機２０ａ、２０ｂ、…に通知する。
【００１１】
携帯機２０ａ、２０ｂ、…は、制御部２１と、各種データ例えば当該携帯機２０ａ、２０ｂ、…が存在する通信エリアに該当する無線基地局１０ａ、１０ｂ、…の識別データ等を記憶するメモリ２２とを備えている。
【００１２】
主装置３０は、各無線基地局１０ａ、１０ｂ、…毎に接続制御する無線基地局用回路３１ａ、３１ｂ、…と当該主装置３０全体を制御する例えばＣＰＵ等の制御部３２と、各種データ例えば各携帯機２０ａ、２０ｂ、…の位置データ（識別データ）や各無線基地局１０ａ、１０ｂ、…の識別データ等を記憶するメモリ３３とを備えている。上記制御部３２は、主装置３０全体を制御すると共に、無線基地局用回路３１ａ、３１ｂ、…を介して無線基地局１０ａ、１０ｂ、…の動作を制御する機能、例えば詳細を後述するように電源をオン／オフして送出電波を制御し、これにより各無線基地局１０ａ、１０ｂ、…と接続される携帯機２０ａ、２０ｂ、…の位置を特定する機能を備えている。
【００１３】
そして、上記主装置３０には、位置表示端末装置３５が接続される。この位置表示端末装置３５は、例えばパーソナルコンピュータを用いて構成され、構内の地図データを予め記憶していると共に、各無線基地局１０ａ、１０ｂ、…、１０ｎの通信エリア４０ａ、４０ｂ、…、４０ｎを上記地図データに対応付けて記憶しており、上記制御部３２で特定された携帯機２０ａ、２０ｂ、…の位置を例えば地図の形態で表示する。
【００１４】
図２は、主装置３０に接続された無線基地局１０ａ、１０ｂ、…と、各無線基地局１０ａ、１０ｂ、…の通信エリア４０ａ、４０ｂ、…との関係を示したものである。各無線基地局１０ａ、１０ｂ、…の通信エリア４０ａ、４０ｂ、…は、各無線基地局１０ａ、１０ｂ、…を中心としてその周囲に略円形に形成され、一部の領域が重複している。
【００１５】
上記のように構成された構内無線通信システムにおいて、各携帯機２０ａ、２０ｂ、…による位置登録は、近い位置に存在する無線基地局１０ａ、１０ｂ、…を介して行われる。この場合、携帯機２０ａ、２０ｂ、…は複数の無線基地局に対して接続可能な状態であっても、電波条件の良い無線基地局を介して位置登録が行われる。主装置３０は、携帯機２０ａ、２０ｂ、…の位置登録によってメモリ３３内に図３に示す携帯機位置登録テーブル５１を作成し、各携帯機２０ａ、２０ｂ、…の位置を識別している。
【００１６】
上記携帯機位置登録テーブル５１には、無線基地局１０ａ、１０ｂ、…、１０ｎの識別データと、各無線基地局１０ａ、１０ｂ、…、１０ｎに登録された携帯機２０ａ、２０ｂ、…の識別データがそれぞれ対応して書き込まれる。
【００１７】
主装置３０は、通常の状態では上記携帯機位置登録テーブル５１を使用し、各携帯機２０ａ、２０ｂ、…の位置を識別して通信制御を行っている。
【００１８】
次に、緊急時等において、携帯機２０ａ、２０ｂ、…の位置を高精度で特定する場合における制御部３２の処理動作を図４に示すフローチャートを参照して説明する。
【００１９】
今、例えば図２に示すように携帯機２０ａが無線基地局１０ａ〜１０ｃの通信エリア４０ａ〜４０ｃが重複するエリア４１に位置し、無線基地局１０ａに接続しているものとする。携帯機２０ａ、２０ｂ、…は、上記通信エリア４０ａ〜４０ｃが重複するエリア４１に位置している場合、無線基地局１０ａ〜１０ｃの何れとも接続が可能である。
【００２０】
制御部３２は、携帯機２０ａ、２０ｂ、…の位置を高精度で特定する場合、図４に示すように先ず無線基地局１０ａに接続されている携帯機を検索する（ステップＡ１）。この検索により無線基地局１０ａには携帯機２０ａが接続されていることが検知される。
【００２１】
制御部３２は、無線基地局１０ａに対する検索を終了すると、所定時間後、例えば数十秒後に上記無線基地局１０ａに電源を切断するように制御命令を出力して無線基地局１０ａの電波の送出を停止する（ステップＡ２）。無線基地局１０ａからの電波の送出が停止すると、携帯機２０ａは無線基地局１０ａとの接続が遮断されるので、他の接続可能な無線基地局１０ｂあるいは無線基地局１０ｃと接続する。今、無線基地局１０ｂに対して携帯機２０ａが接続したものとする。
【００２２】
制御部３２は、上記無線基地局１０ａの電源を遮断した状態で、次の無線基地局１０ｂに接続されている携帯機を検索し（ステップＡ３）、携帯機２０ａが接続してきたことを検知すると、所定時間後（例えば数十秒後）に上記無線基地局１０ｂの電源を遮断し、無線基地局１０ｂの電波の送出を停止する（ステップＡ４）。この時点では、無線基地局１０ａ、１０ｂが電波の送出を停止した状態となっている。携帯機２０ａは、上記無線基地局１０ａ、１０ｂからの電波の送出が停止し、無線基地局１０ｂとの接続が遮断されると、他の接続可能な無線基地局１０ｃと接続する。
【００２３】
制御部３２は、上記無線基地局１０ａ、１０ｂの電源を遮断した状態で、次の無線基地局１０ｃに接続されている携帯機を検索し（ステップＡ５）、携帯機２０ａが接続してきたことを検知すると、所定時間後（例えば数十秒後）に上記無線基地局１０ｃの電源を遮断し、無線基地局１０ｃの電波の送出を停止する（ステップＡ６）。この時点では、無線基地局１０ａ〜１０ｃが電波の送出を停止した状態となっている。
【００２４】
制御部３２は、以下同様にして無線基地局１０ａ、１０ｂ、…の電源を順次遮断し、無線基地局１０ｎ−１に接続されている携帯機の検索を行った後、上記無線基地局１０ｎ−１の電源を遮断して電波の送出を停止し（ステップＡ７）、最終的に無線基地局１０ｎに接続されている携帯機の検索を行う（ステップＡ８）。
【００２５】
そして、上記各無線基地局１０ａ、１０ｂ、…、１０ｎの検索結果に基づいて図５に示す携帯機位置検索テーブル６１をメモリ３３内に作成する（ステップＡ９）。
【００２６】
上記携帯機位置検索テーブル６１は、携帯機登録エリア６２及び接続基地局登録エリア６３からなり、携帯機登録エリア６２に各携帯機２０ａ、２０ｂ、…の識別データが書き込まれ、接続基地局登録エリア６３に携帯機２０ａ、２０ｂ、…が接続可能な無線基地局１０ａ、１０ｂ、…の識別番号が書き込まれる。
【００２７】
上記検索処理の結果、携帯機位置検索テーブル６１には、各携帯機２０ａ、２０ｂ、…に対し、それぞれ接続可能な無線基地局１０ａ、１０ｂ、…、１０ｎが登録される。
【００２８】
制御部３２は、上記携帯機位置検索テーブル６１により、各携帯機２０ａ、２０ｂ、…が接続可能な無線基地局１０ａ、１０ｂ、…、１０ｎを識別し、その通信エリア４０ａ、４０ｂ、…、４０ｎの重複エリアによって各携帯機の位置を特定する。図２の例では、無線基地局１０ａ、１０ｂ、１０ｃによって携帯機２０ａの接続が検知されているので、その通信エリア４０ａ、４０ｂ、４０ｃが重複するエリア４１内に携帯機２０ａが位置しているものと特定することができる。
【００２９】
そして、上記制御部３２により特定された各携帯機２０ａ、２０ｂ、…の位置データは、位置表示端末装置３５へ送られて画面上に表示される。
【００３０】
位置表示端末装置３５は、構内の地図データを予め記憶しており、制御部３２により特定された携帯機２０ａ、２０ｂ、…の位置を表示画面に地図の形態で表示する。従って、ユーザーは、位置表示端末装置３５の表示画面から携帯機２０ａ、２０ｂ、…の位置を直ちに確認することができる。
【００３１】
なお、上記実施形態では、全ての無線基地局１０ａ、１０ｂ、…を検索して各携帯機２０ａ、２０ｂ、…の位置を特定する場合について示したが、緊急時等において特定の携帯機、例えば携帯機２０ａの位置を特定する場合には、その携帯機２０ａが位置登録されている無線基地局とその周辺の基地局を検索することにより携帯機２０ａの位置を特定することができる。従って、この場合には全ての無線基地局１０ａ、１０ｂ、…、１０ｎを検索する必要はなく、短時間の検索処理で携帯機の位置を高精度で特定することができる。
【００３２】
また、上記実施形態では、携帯機２０ａ、２０ｂ、…の位置を特定する際、無線基地局１０ａ、１０ｂ、…の電源を遮断して電波の送出を停止するようにしたが、電源を遮断せずに電波の送出のみを停止するようにしても良い。
【００３３】
また、本発明は、上記実施形態そのままに限定されるものではなく、実施段階ではその要旨を逸脱しない範囲で構成要素を変形して具体化できるものである。
【図面の簡単な説明】
【００３４】
【図１】本発明一実施形態に係る構内無線通信システムの構成を示すブロック図である。
【図２】同実施形態において、主装置に接続された無線基地局と、各無線基地局の通信エリアとの関係を示す図である。
【図３】同実施形態における携帯機位置登録テーブルの構成例を示す図である。
【図４】同実施形態において、携帯機の位置を高精度で特定する場合の制御部の処理動作を示すフローチャートである。
【図５】同実施形態における携帯機位置検索テーブルの構成例を示す図である。
【符号の説明】
【００３５】
１０ａ〜１０ｎ…無線基地局、１１…無線基地局の制御部、１２…無線基地局のメモリ、２０ａ、２０ｂ、…、…携帯機、２１…携帯機の制御部、２２…携帯機のメモリ、３０…主装置、３１ａ、３１ｂ、…、…無線基地局用回路、３２…主装置の制御部、３３…主装置のメモリ、３５…位置表示端末装置、４０ａ、４０ｂ、…、…通信エリア、５１…携帯機位置登録テーブル、６１…携帯機位置検索テーブル、６２…携帯機登録エリア、６３…接続基地局登録エリア。
【図１】
2009206960.tif 000003
【図２】
2009206960.tif 000004
【図３】
2009206960.tif 000005
【図４】
2009206960.tif 000006
【図５】
2009206960.tif 000007